Podtech/llm-jp-corpus-v4-ja_patent huggingface dataset:
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
ゲームを提供し、ゲーム結果に基づいて賞金を支払うゲーム機であって、
タッチスクリーン機能を備える表示部と、
プレイヤーのプレイヒストリーを認識する検出部と、
前記プレイヒストリーを分析する分析部と、
前記プレイヒストリーに基づいてゲームのギャンブル性を変化させる制御部と、
ギャンブル性が変化したゲームを開始する開始部とを有し、
前記制御部は、前記分析部が前記ギャンブル性を変化させるのに十分なプレイヒストリーを有していると判断する場合に、プレイヤーからギャンブル性を変化させるタッチスクリーンによる入力を受け付け、前記開始部にギャンブル性が変化したゲームを開始させることを特徴とするゲーム機。
【請求項２】
ゲームを提供し、ゲーム結果に基づいて賞金を支払うゲーム機であって、
プレイヤーからの入力を受け付ける入力ボタンと、
プレイヤーのプレイヒストリーを認識する検出部と、
前記プレイヒストリーを分析する分析部と、
前記プレイヒストリーに基づいてゲームのギャンブル性を変化させる制御部と、
ギャンブル性が変化したゲームを開始する開始部とを有し、
前記制御部は、前記分析部が前記ギャンブル性を変化させるのに十分なプレイヒストリーを有していると判断する場合に、プレイヤーからギャンブル性を変化させる入力ボタンによる入力を受け付け、前記開始部にギャンブル性が変化したゲームを開始させることを特徴とするゲーム機。
【請求項３】
前記プレイヒストリーに基づいて、前記制御部がプレイヤーの勝率を変化させる請求項１または２に記載のゲーム機。
【請求項４】
前記制御部が、前記プレイヒストリーに応じて、ゲーム中のシンボル、絵柄、または他のデザインの数を増大させる請求項３に記載のゲーム機。
【請求項５】
前記制御部が、前記プレイヒストリーに応じて、ゲーム中のシンボル、絵柄、または他のデザインの出現頻度を増大させる請求項３に記載のゲーム機。
【請求項６】
前記制御部が、前記プレイヒストリーに応じて、入賞組み合わせの数を増大させる請求項３に記載のゲーム機。
【請求項７】
前記制御部が、前記プレイヒストリーに応じて、払い戻し率を変化させる請求項１または２に記載のゲーム機。
【請求項８】
賭け金を受け取り、ゲーム結果に基づいて賞金を支払うゲーム機であって、
タッチスクリーン機能を備える表示部と、
プレイヤーのプレイヒストリーを見つける認識部と、
前記プレイヒストリーに基づいてゲームのギャンブル性を設定する処理部と、
ギャンブル性が設定されたゲームを開始する開始部とを有し、
前記処理部は、前記認識部が前記ギャンブル性を変化させるのに十分なプレイヒストリーを有していると判断する場合に、プレイヤーからギャンブル性を変化させるタッチスクリーンによる入力を受け付け、前記開始部にギャンブル性が変化したゲームを開始させることをすることを特徴とするゲーム機。
【請求項９】
賭け金を受け取り、ゲーム結果に基づいて賞金を支払うゲーム機であって、
プレイヤーからの入力を受け付ける入力ボタンと、
プレイヤーのプレイヒストリーを見つける認識部と、
前記プレイヒストリーに基づいてゲームのギャンブル性を設定する処理部と、
ギャンブル性が設定されたゲームを開始する開始部とを有し、
前記処理部は、前記認識部が前記ギャンブル性を変化させるのに十分なプレイヒストリーを有していると判断する場合に、プレイヤーからギャンブル性を変化させる入力ボタンによる入力を受け付け、前記開始部にギャンブル性が変化したゲームを開始させることをすることを特徴とするゲーム機。
【請求項１０】
前記ゲームはマルチステージを含み、前記処理部は前記マルチステージ中のステージの数を増大させる請求項８または９に記載のゲーム機。
【請求項１１】
前記ゲームはボーナスゲームを含み、前記処理部は前記ボーナスゲームの種類を増大させる請求項８または９に記載のゲーム機。
【請求項１２】
前記処理部は前記ゲームとは異なる種類のゲームをも提供する請求項８または９に記載のゲーム機。
【請求項１３】
ゲームを提供し、ゲーム結果に基づいて賞金を支払うゲーム方法であって、
プレイヤーのプレイヒストリーを認識するステップと、
前記プレイヒストリーを分析するステップと、
前記プレイヒストリーに基づいてゲームのギャンブル性を調整するステップと、
ギャンブル性が調整されたゲームを開始するステップとを有し、
前記分析するステップにより、前記ギャンブル性を変化させるのに十分なプレイヒストリーを有していると判断された場合に、プレイヤーからギャンブル性を調整するタッチスクリーンによる入力を受け付けるステップとを、さらに有することを特徴とするゲーム方法。
【請求項１４】
ゲームを提供し、ゲーム結果に基づいて賞金を支払うゲーム方法であって、
プレイヤーのプレイヒストリーを認識するステップと、
前記プレイヒストリーを分析するステップと、
前記プレイヒストリーに基づいてゲームのギャンブル性を調整するステップと、
ギャンブル性が調整されたゲームを開始するステップとを有し、
前記分析するステップにより、前記ギャンブル性を変化させるのに十分なプレイヒストリーを有していると判断された場合に、プレイヤーからギャンブル性を調整する入力ボタンによる入力を受け付けるステップとを、さらに有することを特徴とするゲーム方法。
【請求項１５】
前記プレイヒストリーは、プレイヤーが過去にプレイしたプレイ時間である請求項１３または１４に記載のゲーム方法。
【請求項１６】
前記プレイヒストリーは、プレイヤーが過去にプレイしたプレイ回数である請求項１３または１４に記載のゲーム方法。
【請求項１７】
前記プレイヒストリーは、プレイヤーが過去に賭けた賭け金の額である請求項１３または１４に記載のゲーム方法。
【請求項１８】
前記ゲームはボーナスゲームを含み、前記プレイヒストリーは、プレイヤーが過去にプレイしたボーナスゲームの数である請求項１３または１４に記載のゲーム方法。
【請求項１９】
前記ゲームはフリーゲームを含み、前記プレイヒストリーは、プレイヤーが過去にプレイしたフリーゲームの数である請求項１３または１４に記載のゲーム方法。
【請求項２０】
前記プレイヒストリーは、予め決められた期間内のプレイヒストリーである請求項１３または１４に記載のゲーム方法。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
プロセス制御環境でパラメータ値をアップロードするためのコンピュータで実行される方法であって、
プロセス制御システムと関連付けられたパラメータ値をアップロードするためのリクエストを受信することと、
前記プロセス制御システムと関連付けられたアップロードルールプロファイルを取得することと、
前記パラメータ値と担当者分類とに基づいて前記アップロードルールプロファイルからアップロード行動を特定することと、
前記アップロード行動に基づいて前記パラメータ値をアップロードするかどうか判断することと、
を含むコンピュータで実行される方法。
【請求項２】
前記パラメータ値の変更をローカルデータストアからグローバルデータストアにアップロードすることをさらに含む、請求項１に記載の方法。
【請求項３】
前記ローカルデータストアが、前記プロセス制御システムと関連付けられたランタイムデータベースである、請求項１又は請求項２に記載の方法。
【請求項４】
前記グローバルデータストアが、プロセス制御環境における複数のプロセス制御システムと関連付けられた構成データベースを含む、請求項１〜請求項３の何れか１項に記載の方法。
【請求項５】
前記アップロードルールプロファイルが前記アップロード行動と前記担当者分類との間に複数の一致ペアを含む、請求項１〜請求項４の何れか１項に記載の方法。
【請求項６】
前記アップロード行動が、前記パラメータ値のアップロードを許容する常時許可権限を含む、請求項１〜請求項５の何れか１項に記載の方法。
【請求項７】
前記アップロード行動が、前記パラメータ値のアップロードを拒否する常時禁止権限を含む、請求項１〜請求項６の何れか１項に記載の方法。
【請求項８】
前記パラメータ値が前記担当者分類と関連付けられている、請求項１〜請求項７の何れか１項に記載の方法。
【請求項９】
前記アップロード行動が、前記パラメータ値をアップロードする前に承認の表示を呼び出すための即時リクエストを含む、請求項１〜請求項８の何れか１項に記載の方法。
【請求項１０】
前記アップロード行動が、前記パラメータ値をアップロードする前に前記パラメータ値の変更をしきい値と比較する条件付き許可権限を含む、請求項１〜請求項９の何れか１項に記載の方法。
【請求項１１】
前記しきい値が上限しきい値、下限しきい値、または中間しきい値のうち少なくとも１つを含む、請求項１〜請求項１０の何れか１項に記載の方法。
【請求項１２】
前記パラメータ値の変更が前記上限しきい値を上回った場合に、前記パラメータ値の前記アップロードを防ぐことをさらに含む請求項１〜請求項１１の何れか１項に記載の方法。
【請求項１３】
前記パラメータ値の変更が前記下限しきい値を下回った場合に、前記パラメータ値の前記アップロードを防ぐことをさらに含む、請求項１〜請求項１２の何れか１項に記載の方法。
【請求項１４】
前記プロセス制御システムと関連付けられた前記パラメータ値がアラーム制限または機器設定ポイントを含む、請求項１〜請求項１３の何れか１項に記載の方法。
【請求項１５】
プロセス制御環境でパラメータ値をアップロードするための装置であって、
プロセス制御システムと関連付けられたパラメータ値をアップロードするためのリクエストを受信するためのアップロードマネージャと、
前記パラメータ値の変更を特定するためのデータベース変更モニタと、
前記プロセス制御システムと関連付けられたアップロードルールプロファイルを取得するため、および前記パラメータ値と担当者分類とに基づいて前記アップロードルールプロファイルからアップロード行動を選択するためのプロファイルマネージャと、
を備える装置。
【請求項１６】
前記パラメータ値の変更値としきい値との間の比較に基づいて前記パラメータ値のアップロードを許可する条件マネージャをさらに備える、請求項１５に記載の装置。
【請求項１７】
前記しきい値を提供する条件データベースをさらに備える、請求項１５又は請求項１６に記載の装置。
【手続補正書】
【提出日】平成25年7月5日(2013.7.5)
【手続補正１】
【補正対象書類名】特許請求の範囲
【補正対象項目名】全文
【補正方法】変更
【補正の内容】
【特許請求の範囲】
【請求項１】
ボード管理コントローラ（ＢＭＣ）と、電源と、モジュール構成要素と、キャリアバスとを有するキャリアボードを含むコンピュータを組み立てる方法であって、
第１のモジュールを前記キャリアボードに結合するステップと、
前記第１のモジュールとは異なるタイプの第２のモジュールを前記キャリアボードに結合するステップと、
前記キャリアボードによって前記モジュールのタイプを判定するステップと、
前記電力の電圧成分が、第１の電圧および第１の電圧とは異なる第２の電圧のうちの一方となるように、前記モジュールタイプに基づいて前記モジュールに電力を供給するステップと
を含み、
前記第２のモジュールがモジュール管理コントローラ（ＭＭＣ）を含み、前記ＭＭＣが前記ＢＭＣに結合されて前記モジュール構成要素と前記キャリアバスとの間の通信を容易にする、方法。
【請求項２】
前記モジュールがホット・スワップ回路を含み、モジュールを前記キャリアボードに結合する前記ステップが前記ホット・スワップ回路を前記ＢＭＣに結合するステップを含むことを特徴とする請求項１記載の方法。
【請求項３】
前記モジュールのタイプを判定するステップが、
前記ＢＭＣが、前記モジュールが前記第１又は第２のモジュールであることを判定するステップを含むことを特徴とする請求項１記載の方法。
【請求項４】
前記モジュールが電圧変換器を含み、モジュールを前記キャリアボードに結合する前記ステップが前記電圧変換器を前記電源に結合するステップを含むことを特徴とする請求項１記載の方法。
【請求項５】
モジュール構成要素を有する第１のモジュールと、
前記第１のモジュールとは異なるタイプの第２のモジュールと、
キャリアボードとを備えるコンピュータにおいて、
前記キャリアボードは、
キャリアバスと、
前記少なくとも１つのモジュールのモジュールタイプを検出するように構成されたボード管理コントローラ（ＢＭＣ）と、
前記ＢＭＣに結合され、前記第１及び第２のモジュールに、前記少なくとも１つのモジュールのモジュールタイプに基づいて電源電圧を供給するように構成された電源であって、前記電源電圧は第１の電圧および前記第１の電圧とは異なる第２の電圧のうちの一方である、電源と
を備え、
前記第２のモジュールがモジュール管理コントローラ（ＭＭＣ）を含み、前記ＭＭＣが前記ＢＭＣに結合されて前記モジュール構成要素と前記キャリアバスとの間の通信を容易にする、コンピュータ。
【請求項６】
前記少なくとも１つのモジュールが第１のモジュールタイプであり、前記少なくとも１つのモジュールがホット・スワップ回路を備えることを特徴とする請求項５記載のコンピュータ。
【請求項７】
前記ＢＭＣが前記ホット・スワップ回路に直接結合され、前記ＢＭＣは前記ホット・スワップ回路を制御するように構成される請求項５記載のコンピュータ。
【請求項８】
前記少なくとも１つのモジュールが、前記電源に結合された電圧変換器をさらに備え、前記電源は、前記電圧変換器に前記第２の電圧を供給するように構成され、前記第２の電圧は前記第１の電圧より高いことを特徴とする請求項７記載のコンピュータ。
【請求項９】
前記少なくとも１つのモジュールが、
少なくとも１つの第１のモジュールと、少なくとも１つの第２のモジュールとを備え、
前記少なくとも１つの第１のモジュールは、
前記モジュール構成要素が前記電源に直接結合され、前記電源は前記モジュール構成要素に前記第１の電圧を供給するように構成されることと、
前記ＢＭＣに直接結合されたホット・スワップ回路と、を備え、
前記少なくとも１つの第２のモジュールは、
前記ＢＭＣに結合されたモジュール管理コントローラ（ＭＭＣ）と、
前記電源に結合された電圧変換器であって、前記電源は前記電圧変換器に前記第２の電圧を供給するように構成された、電圧変換器と
を備えることを特徴とする請求項５記載のコンピュータ。
【請求項１０】
各々がモジュール構成要素を有する第１及び第２のモジュールを含むコンピュータと共に用いるためのキャリアボードにおいて、
前記第１及び第２のモジュールのモジュールタイプを判定するように構成されたコントローラと、
前記モジュールタイプに基づいて前記第１及び第２のモジュールに第１の電圧および第２の電圧のうちの一方を供給するように構成された電源であって、前記第１の電圧は前記第２の電圧とは異なる、電源と、
前記少なくとも１つのモジュールの前記モジュール構成要素と通信するように構成されたキャリアバスと
を備え、
前記第２のモジュールがモジュール管理コントローラ（ＭＭＣ）を含み、前記ＭＭＣが前記ＢＭＣに結合されて前記モジュール構成要素と前記キャリアバスとの間の通信を容易にするキャリアボード。
【請求項１１】
前記第２のモジュールが、電圧変換器を有し、タイプであり、前記コントローラは、前記第１又は第２のモジュール構成要素と前記キャリアバスの間でデータを通信するのを容易にするように前記ＭＭＣに結合され、前記電源は前記電圧変換器に前記第２の電圧を供給するように構成され、前記第２の電圧は前記第１の電圧より高いことを特徴とする請求項１０記載のキャリアボード。
【請求項１２】
前記第１のモジュールが、ホット・スワップ回路を備え、前記電源は前記モジュール構成要素に前記第１の電圧を供給するように構成され、前記コントローラは前記ホット・スワップ回路に直接結合され、
前記第２のモジュールが、電圧変換器を有し、
前記電源は前記電圧変換器に前記第２の電圧を供給するように構成される、
ことを特徴とする請求項１０記載のキャリアボード。
【手続補正書】
【提出日】平成25年10月10日(2013.10.10)
【手続補正１】
【補正対象書類名】特許請求の範囲
【補正対象項目名】全文
【補正方法】変更
【補正の内容】
【特許請求の範囲】
【請求項１】
複数の機器が接続するネットワークと接続可能であり、前記機器に対して印刷処理を要求する情報処理装置であって、
前記印刷処理に関する設定を受け付けるための画面を表示装置に表示する表示制御手段と、
前記表示制御手段が機器それぞれに対応する前記画面の生成に用いる画面情報を機器ごとに記憶装置に記憶する第１の記憶手段と
を有し、
前記表示制御手段は、
前記印刷処理の要求先として指定された機器に対応する画面情報に基づいて生成した画面を表示する
ことを特徴とする情報処理装置。
【請求項２】
前記機器に対して要求する前記印刷処理に関する設定を所定の形式に変換する変換手段と、
前記変換手段によって前記所定の形式に変換された前記印刷処理に関する設定を前記記憶装置に記憶する第２の記憶手段と
を有することを特徴とする請求項１記載の情報処理装置。
【請求項３】
前記変換手段は、
前記機器に対して要求する前記印刷処理に関する設定を文字列の形式に変換する
ことを特徴とする請求項２記載の情報処理装置。
【請求項４】
前記記憶装置には、前記印刷処理に関する設定それぞれの記憶先を指定する記憶先情報が記憶され、
前記第２の記憶手段は、
前記変換手段によって前記所定の形式に変換された前記印刷処理に関する設定を前記記憶装置によって記憶されている記憶先情報に指定された記憶先に記憶する
ことを特徴とする請求項２記載の情報処理装置。
【請求項５】
前記記憶先は、
レジストリまたはＤＥＶＭＯＤＥ構造体の少なくとも１つである
ことを特徴とする請求項４記載の情報処理装置。
【請求項６】
前記画面情報は、
前記画面内に表示される少なくとも１つの表示部品それぞれに関する属性を含む
ことを特徴とする請求項１記載の情報処理装置。
【請求項７】
前記属性は、
前記表示部品の種類、名称または前記画面における表示位置の少なくとも１つである
ことを特徴とする請求項４記載の情報処理装置。
【請求項８】
複数の機器が接続するネットワークと接続可能であり情報処理装置が有する前記機器に対して印刷処理を要求する印刷制御プログラムであって、
前記印刷処理に関する設定を受け付けるための画面を表示装置に表示する表示制御手段と、
前記表示制御手段が機器それぞれに対応する前記画面の生成に用いる画面情報を機器ごとに記憶装置に記憶する第１の記憶手段と
を前記情報処理装置に実行させ、
前記表示制御手段は、
前記印刷処理の要求先として指定された機器に対応する画面情報に基づいて生成した画面を表示する
ことを特徴とする印刷制御プログラム。
【請求項９】
前記機器に対して要求する前記印刷処理に関する設定を所定の形式に変換する変換手段と、
前記変換手段によって前記所定の形式に変換された前記印刷処理に関する設定を前記記憶装置に記憶する第２の記憶手段と
を前記情報処理装置に実行させることを特徴とする請求項８記載の印刷制御プログラム。
【請求項１０】
前記変換手段は、
前記機器に対して要求する前記印刷処理に関する設定を文字列の形式に変換する
ことを特徴とする請求項９記載の印刷制御プログラム。
【請求項１１】
前記記憶装置には、前記印刷処理に関する設定それぞれの記憶先を指定する記憶先情報が記憶され、
前記第２の記憶手段は、
前記変換手段によって前記所定の形式に変換された前記印刷処理に関する設定を前記記憶装置によって記憶されている記憶先情報に指定された記憶先に記憶する
ことを特徴とする請求項９記載の印刷制御プログラム。
【請求項１２】
前記記憶先は、
レジストリまたはＤＥＶＭＯＤＥ構造体の少なくとも１つである
ことを特徴とする請求項１１記載の印刷制御プログラム。
【請求項１３】
前記画面情報は、
前記画面内に表示される少なくとも１つの表示部品それぞれに関する属性を含む
ことを特徴とする請求項８記載の印刷制御プログラム。
【手続補正２】
【補正対象書類名】明細書
【補正対象項目名】発明の名称
【補正方法】変更
【補正の内容】
【発明の名称】情報処理装置、および印刷制御プログラム
【手続補正３】
【補正対象書類名】明細書
【補正対象項目名】０００７
【補正方法】変更
【補正の内容】
【０００７】
上述した課題を解決し、目的を達成するために、本発明の情報処理装置は、複数の機器が接続するネットワークと接続可能であり、前記機器に対して印刷処理を要求する情報処理装置であって、前記印刷処理に関する設定を受け付けるための画面を表示装置に表示する表示制御手段と、前記表示制御手段が機器それぞれに対応する前記画面の生成に用いる画面情報を機器ごとに記憶装置に記憶する第１の記憶手段とを有し、前記表示制御手段は、前記印刷処理の要求先として指定された機器に対応する画面情報に基づいて生成した画面を表示することを特徴とする。
【手続補正４】
【補正対象書類名】明細書
【補正対象項目名】０００８
【補正方法】変更
【補正の内容】
【０００８】
また、本発明の印刷制御プログラムは、複数の機器が接続するネットワークと接続可能であり情報処理装置が有する前記機器に対して印刷処理を要求する印刷制御プログラムであって、前記印刷処理に関する設定を受け付けるための画面を表示装置に表示する表示制御手段と、前記表示制御手段が機器それぞれに対応する前記画面の生成に用いる画面情報を機器ごとに記憶装置に記憶する第１の記憶手段とを前記情報処理装置に実行させ、前記表示制御手段は、前記印刷処理の要求先として指定された機器に対応する画面情報に基づいて生成した画面を表示することを特徴とする。
【手続補正５】
【補正対象書類名】明細書
【補正対象項目名】０００９
【補正方法】削除
【補正の内容】
【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
２つのパストランジスタと、２つのクロスカップル型インバータの形で接続された４つのロジックトランジスタとを有し、相補型金属酸化物半導体（ＣＭＯＳ）技術により形成されたスタティックランダムアクセスメモリ（ＳＲＡＭ）セルと、
前記ＳＲＡＭセル上に重なって前記ＳＲＡＭセルに不揮発性を提供する相変化メモリ（ＰＣＭ）部分と、
を備え、
前記４つのロジックトランジスタのうちの２つが、前記ＰＣＭ部分内のカルコゲン材料の第１のノードに接続されたソースを各々が有するＮＭＯＳトランジスタである、
ことを特徴とする記憶セル。
【請求項２】
前記カルコゲン材料の第２のノードが接地電位に結合されていることを特徴とする請求項１に記載の記憶セル。
【請求項３】
２つのパストランジスタ、及び、２つのクロスカップル型インバータに接続された４つのロジックトランジスタを有するスタティックランダムアクセスメモリ（ＳＲＡＭ）セルと、
前記ＳＲＡＭセル上に重なって前記ＳＲＡＭセルに不揮発性を提供する相変化メモリ（ＰＣＭ）部分と、
ビットラインに直接接続し、かつ、前記４つのロジックトランジスタのうちの第１のトランジスタのソースに接続する第１のパスゲートトランジスタと、相補ビットラインに直接接続し、かつ、前記４つのロジックトランジスタのうちの第２のトランジスタに接続する第２のパスゲートトランジスタと、
を有することを特徴とする記憶セル。
【請求項４】
前記第１及び第２のパスゲートトランジスタのゲートを共通して駆動させて、前記カルコゲン材料の一方をＳＥＴ状態にプログラムし、他方をＲＥＳＥＴ状態にプログラムすることを特徴とする請求項３に記載の記憶セル。
【請求項５】
前記ＳＲＡＭセルが、前記ＰＣＭ部分に含まれるデータを有することを特徴とする請求項４に記載の記憶セル。
【請求項６】
不揮発性メモリデバイス内に配置されることを特徴とする請求項３に記載の記憶セル。
【請求項７】
クロスポイントスイッチのための記憶部を形成することを特徴とする請求項３に記載の記憶セル。
【請求項８】
２つのパストランジスタ及び２つのクロスカップル型インバータの形で接続された４つのロジックトランジスタを有し、揮発性メモリ素子を形成する相補型金属酸化物半導体（ＣＭＯＳ）ロジックと、
前記ＣＭＯＳロジックに追加されて前記記憶セルに不揮発性特性を与える相変化メモリ（ＰＣＭ）と、
第１のビットラインに直接接続し、かつ、第１のＮＭＯＳトランジスタのソースに接続する第１のパスゲートトランジスタと、
第２のビットラインに直接接続し、かつ、第２のＮＭＯＳトランジスタのソースに接続する第２のパスゲートトランジスタと、
を有することを特徴とする記憶セル。
【請求項９】
前記ＰＣＭは、前記２つのクロスカップル型インバータと一体化されたカルコゲン素子であることを特徴とする請求項８に記載の記憶セル。
【請求項１０】
前記第１及び第２のパスゲートトランジスタが前記クロスカップル型インバータの以前の状態を上書きできるようにするためのリード／ライトラインをさらに含むことを特徴とする請求項９に記載の記憶セル。
【請求項１１】
前記カルコゲン素子の抵抗が、前記ＳＲＡＭセルを前記カルコゲン素子に含まれるデータを有するようにバイアスすることを特徴とする請求項９に記載の記憶セル。
【請求項１２】
２つのパストランジスタ及び４つのロジックトランジスタを有するスタティックランダムアクセスメモリ（ＳＲＡＭ）セルと、
前記ＳＲＡＭセルに接続された相変化メモリ（ＰＣＭ）と、
前記４つのロジックトランジスタのうちの第１のトランジスタのソースに接続され、かつ、第１のビットラインに直接接続された第１のパスゲートトランジスタと、
前記４つのロジックトランジスタのうちの第２のトランジスタのソースに接続され、かつ、第２のビットラインに直接接続された第２のパスゲートトランジスタと、
を含むことを特徴とする記憶セル。
【請求項１３】
前記ＰＣＭは、前記第１のトランジスタのソースに接続された抵抗素子を含んでいることを特徴とする請求項１２に記載の記憶素子。
【請求項１４】
前記ＰＣＭは、前記第２のトランジスタのソースに接続された追加の抵抗素子を含んでいることを特徴とする請求項１３に記載の記憶素子。
【請求項１５】
前記第１のパスゲートトランジスタのゲートは、前記第２のパスゲートトランジスタのゲートに接続されていることを特徴とする請求項１２に記載の記憶セル。
【請求項１６】
前記２つのパスゲートトランジスタは第１及び第２のパスゲートトランジスタを含んでおり、前記第１のパスゲートトランジスタのゲートは前記第２のパスゲートトランジスタのゲートに接続されていることを特徴とする請求項１２に記載の記憶セル。
【手続補正書】
【提出日】平成25年10月11日(2013.10.11)
【手続補正１】
【補正対象書類名】特許請求の範囲
【補正対象項目名】全文
【補正方法】変更
【補正の内容】
【特許請求の範囲】
【請求項１】
複数の第１電極バーを含む第１画素電極と、
前記第１画素電極にデータ電圧を印加するデータラインと、
前記第１電極バーと交互に配置された複数の第２電極バーを含む第２画素電極と、
前記データラインと交差するゲートラインと、
前記ゲートラインと同じ方向に延長されて前記第２画素電極に第１電圧を印加する第１電源ラインと、
前記第１電源ラインと交差して前記第１電源ラインと電気的に連結された第２電源ラインと、
前記データライン、前記ゲートライン、及び前記第１画素電極に電気的に連結された第１スイッチング素子と、
前記第１電源ライン、前記ゲートライン、及び前記第２画素電極に電気的に連結された第２スイッチング素子と、を含む表示基板。
【請求項２】
前記第２電源ラインは複数のデータライン毎に配置されることを特徴とする請求項１に記載の表示基板。
【請求項３】
複数の第３電極バーを含み、前記第１画素電極と隣接した第３画素電極と、
前記第３電極バーと交互に配置された複数の第４電極バーを含む第４画素電極と、
前記第４画素電極に第２電圧を印加して、前記第１電源ラインと隣接した第３電源ラインと、
前記第３電源ラインと交差する方向に延長されて前記第３電源ラインと電気的に連結された第４電源ラインと、をさらに含むことを特徴とする請求項１に記載の表示基板。
【請求項４】
前記第４電源ラインは複数のデータライン毎に配置されたことを特徴とする請求項３に記載の表示基板。
【請求項５】
前記第２電源ラインと前記第４電源ラインとの間には複数のデータラインが配置されたことを特徴とする請求項４に記載の表示基板。
【請求項６】
前記第２電源ライン及び前記第４電源ラインの各々は前記データラインの延長方向に隣接する画素に対して前記データラインを基準として左右交互に配置されることを特徴とする請求項４に記載の表示基板。
【請求項７】
前記ゲートライン及び前記第３画素電極に連結された第３スイッチング素子と、
前記第３電源ライン、前記ゲートライン、及び前記第４画素電極に連結された第４スイッチング素子と、をさらに含むことを特徴とする請求項３に記載の表示基板。  
【請求項８】
前記第２スイッチング素子は、
前記ゲートラインと電気的に連結された第１ゲート電極と、
前記第１電源ラインと電気的に連結されて、前記第２電源ラインと連結される第１ソース電極と、
前記第２画素電極と電気的に連結された第１ドレイン電極と、を含むことを特徴とする請求項３に記載の表示基板。
【手続補正書】
【提出日】平成25年7月29日(2013.7.29)
【手続補正１】
【補正対象書類名】特許請求の範囲
【補正対象項目名】全文
【補正方法】変更
【補正の内容】
【特許請求の範囲】
【請求項１】
ＡｒＦエキシマレーザの露光光が適用される転写用マスクを作製するために用いられ、透光性基板上に遮光膜を備えるマスクブランクであって、
前記遮光膜は、透光性基板側から遮光層および表面反射防止層をこの順に積層した構造であり、
前記遮光層は、タンタルと窒素を含有する材料からなり、
前記表面反射防止層は、タンタルとケイ素を含有し、さらに酸素および窒素から選ばれる１以上の元素を含有する材料からなることを特徴とするマスクブランク。
【請求項２】
前記遮光層中の窒素含有量は、６２原子％未満であることを特徴とする請求項１記載のマスクブランク。
【請求項３】
前記遮光層中の窒素含有量は、７原子％以上であることを特徴とする請求項１または２のいずれかに記載のマスクブランク。
【請求項４】
前記遮光膜は、膜厚が６５ｎｍ未満であることを特徴とする請求項１から３のいずれかに記載のマスクブランク。
【請求項５】
前記表面反射防止層は、膜厚が５ｎｍ以上２０ｎｍ以下であることを特徴とする請求項１から４いずれかに記載のマスクブランク。
【請求項６】
前記遮光層または前記表面反射防止層は、ホウ素を含むことを特徴とする請求項１から５のいずれかに記載のマスクブランク。
【請求項７】
前記遮光層は、層中のケイ素含有量が１０原子％以下であることを特徴とする請求項１から６のいずれかに記載のマスクブランク。
【請求項８】
前記表面反射防止層は、層中のタンタルとケイ素の合計含有量を１００としたときのケイ素の含有量の比率を原子％であらわしたものである（Ｓｉ／Ｔａ＋Ｓｉ）比率が５原子％以上であることを特徴とする請求項１から７のいずれかに記載のマスクブランク。
【請求項９】
前記表面反射防止層は、層中のタンタルとケイ素の合計含有量を１００としたときのケイ素の含有量の比率を原子％であらわしたものである（Ｓｉ／Ｔａ＋Ｓｉ）比率が９０原子％以下であることを特徴とする請求項１から８のいずれかに記載のマスクブランク。
【請求項１０】
前記表面反射防止層は、層中の酸素と窒素の合計含有量が７０原子％以下であることを特徴とする請求項１から９のいずれかに記載のマスクブランク。
【請求項１１】
前記表面反射防止層は、層中の酸素含有量が１０原子％以上であることを特徴とする請求項１から１０のいずれかに記載のマスクブランク。
【請求項１２】
請求項１から１１のいずれかに記載のマスクブランクを製造する方法であって、
前記表面反射防止層は、タンタル酸化物およびタンタル窒化物から選ばれる１以上の物質と、ケイ素酸化物およびケイ素窒化物から選ばれる１以上の物質とを含有する混合焼結ターゲットを用い、高周波スパッタリング法によって成膜することを特徴とするマスクブランクの製造方法。
【請求項１３】
前記混合焼結ターゲットは、Ｔａ２Ｏ５およびＴａＮから選ばれる１以上の物質と、ＳｉＯ２およびＳｉ３Ｎ４から選ばれる１以上の物質とを含有することを特徴とする請求項１２記載のマスクブランクの製造方法。
【請求項１４】
前記混合焼結ターゲットは、Ｔａ２Ｏ５およびＳｉＯ２からなり、Ｔａ２Ｏ５およびＳｉＯ２のｍｏｌ％混合比率が、１０：９０〜９０：１０であることを特徴とする請求項１２記載のマスクブランクの製造方法。
【請求項１５】
請求項１から１１のいずれかに記載のマスクブランクの前記遮光膜に転写パターンが形成されてなることを特徴とする転写用マスク。
【請求項１６】
請求項１から１１のいずれかに記載のマスクブランクの前記遮光膜に転写パターンを形成してなる転写用マスクの製造方法であって、
前記遮光膜上に形成された、転写パターンを備えるレジスト膜をエッチングマスクとして、酸素を実質的に含まないフッ素系ガスで前記表面反射防止層をドライエッチングする第一の工程と、
該第一の工程後、前記表面反射防止層をエッチングマスクとして、前記遮光層を、酸素を実質的に含まない塩素系ガスでドライエッチングする第二の工程とを有することを特徴とする転写用マスクの製造方法。
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
複数の充電スタンドと、前記複数の充電スタンドにそれぞれ電力を供給する受電設備とを備えるシェアリング充電システムであって、
前記受電設備は、
前記複数の充電スタンドにそれぞれ電力を供給する電力供給手段と、
前記複数の充電スタンドの何れかから車両が接続された旨を示す接続情報が送られてくると、前記複数の充電スタンドに接続される車両の総数と前記電力供給手段の使用可能電力とに基づいて車両１台あたりの供給可能電力値を求め、その供給可能電力値を前記複数の充電スタンドにそれぞれ送る充電量制御手段と、
を備え、
前記充電スタンドは、
前記受電設備から送られてくる供給可能電力値を前記充電スタンドに接続される車両に送信する通信手段と、
前記電力供給手段から前記充電スタンドに接続される車両へ引っぱられる電力を測定する電力測定手段と、
前記電力測定手段により測定される電力と前記供給可能電力値とに基づいて、前記充電スタンドに接続される車両が、前記供給可能電力値に基づく電力を前記電力供給手段から引っぱる充電制御可能車両である、又は、前記供給可能電力値に基づかない電力を前記電力供給手段から引っぱる充電制御不可能車両であると判定する制御手段と、
を備え、
前記充電量制御手段は、
前記複数の充電スタンドのそれぞれの前記制御手段の判定結果に基づいて、前記複数の充電スタンドに前記充電制御可能車両のみが接続されていると判断した場合、前記電力供給手段の使用可能電力を前記各充電制御可能車両に分散して供給し、
前記複数の充電スタンドのそれぞれの前記制御手段の判定結果に基づいて、前記複数の充電スタンドに前記充電制御可能車両及び前記充電制御不可能車両が接続されていると判断した場合、前記充電制御可能車両及び前記充電制御不可能車両からそれぞれ引っぱられる電力の総和が前記電力供給手段の使用可能電力を超えないように、前記電力供給手段の使用可能電力を前記充電制御可能車両又は前記充電制御不可能車両に分散して供給しつつ、前記電力供給手段の使用可能電力を前記充電制御可能車両及び前記充電制御不可能車両に時間的に分散して供給する
ことを特徴とするシェアリング充電システム。
【請求項２】
請求項１に記載のシェアリング充電システムであって、
前記充電量制御手段は、前記複数の充電スタンドのそれぞれの前記制御手段の判定結果に基づいて、前記複数の充電スタンドに前記複数の充電制御可能車両及び前記複数の充電制御不可能車両が接続されていると判断した場合、前記電力供給手段の使用可能電力を分散して前記複数の充電制御可能車両に供給すること、前記電力供給手段の使用可能電力を分散して前記複数の充電制御不可能車両に供給することを交互に繰り返し行う
ことを特徴とするシェアリング充電システム。
【請求項３】
請求項１に記載のシェアリング充電システムであって、
前記充電量制御手段は、前記複数の充電スタンドのそれぞれの前記制御手段の判定結果に基づいて、前記複数の充電スタンドに前記複数の充電制御可能車両及び前記複数の充電制御不可能車両が接続されていると判断した場合、前記複数の充電制御不可能車両１台ずつ順番に電力を供給するとともに、前記電力供給手段の使用可能電力のうち前記充電制御不可能車両に供給した電力の残りの電力を前記複数の充電制御可能車両に分散して供給する
ことを特徴とするシェアリング充電システム。
【手続補正２】
【補正対象書類名】明細書
【補正対象項目名】０００７
【補正方法】変更
【補正の内容】
【０００７】
本発明のシェアリング充電システムは、複数の充電スタンドと、前記複数の充電スタンドにそれぞれ電力を供給する受電設備とを備えるシェアリング充電システムであって、前記受電設備は、前記複数の充電スタンドにそれぞれ電力を供給する電力供給手段と、前記複数の充電スタンドの何れかから車両が接続された旨を示す接続情報が送られてくると、前記複数の充電スタンドに接続される車両の総数と前記電力供給手段の使用可能電力とに基づいて車両１台あたりの供給可能電力値を求め、その供給可能電力値を前記複数の充電スタンドにそれぞれ送る充電量制御手段とを備え、前記充電スタンドは、前記受電設備から送られてくる供給可能電力値を前記充電スタンドに接続される車両に送信する通信手段と、前記電力供給手段から前記充電スタンドに接続される車両へ引っぱられる電力を測定する電力測定手段と、前記電力測定手段により測定される電力と前記供給可能電力値とに基づいて、前記充電スタンドに接続される車両が、前記供給可能電力値に基づく電力を前記電力供給手段から引っぱる充電制御可能車両である、又は、前記供給可能電力値に基づかない電力を前記電力供給手段から引っぱる充電制御不可能車両であると判定する制御手段とを備え、前記充電量制御手段は、前記複数の充電スタンドのそれぞれの前記制御手段の判定結果に基づいて、前記複数の充電スタンドに前記充電制御可能車両のみが接続されていると判断した場合、前記電力供給手段の使用可能電力を前記各充電制御可能車両に分散して供給し、前記複数の充電スタンドのそれぞれの前記制御手段の判定結果に基づいて、前記複数の充電スタンドに前記充電制御可能車両及び前記充電制御不可能車両が接続されていると判断した場合、前記充電制御可能車両及び前記充電制御不可能車両からそれぞれ引っぱられる電力の総和が前記電力供給手段の使用可能電力を超えないように、前記電力供給手段の使用可能電力を前記充電制御可能車両又は前記充電制御不可能車両に分散して供給しつつ、前記電力供給手段の使用可能電力を前記充電制御可能車両及び前記充電制御不可能車両に時間的に分散して供給する。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
電池を内蔵する電池パックと、
前記電池の充電を制御する制御部を内蔵する充電器と、
を有する充電システムであって、
前記電池パックは抵抗素子と容量素子とから構成される識別回路を有し、
前記充電器は前記識別回路に電圧を印加する電圧源を有し、
前記制御部は、前記電圧源から電圧が印加された前記識別回路からの電圧特性情報に基づいて前記電池の種類を識別することを特徴とする充電システム。
【請求項２】
請求項１記載の充電システムにおいて、
前記識別回路は、前記抵抗素子と前記容量素子とを直列に接続したＣＲ回路で構成され、
前記容量素子は、前記抵抗素子と接続される端子と反対側の端子が接地電位に接続され、
前記制御部は、前記容量素子の電圧と前記ＣＲ回路の時定数とから前記電池の種類を識別することを特徴とする充電システム。
【請求項３】
電池を内蔵する電池パックと、
前記電池の充電を制御する制御部を内蔵する充電器と、
を有する充電システムであって、
前記充電器は抵抗素子と容量素子とから構成される識別回路を有し、
前記電池パックは前記識別回路に電圧を印加する電圧源と、前記識別回路の容量素子に並列接続される抵抗素子と、を有し、
前記制御部は、前記電圧源から電圧が印加された前記識別回路からの電圧特性情報に基づいて前記電池の種類を識別することを特徴とする充電システム。
【請求項４】
請求項３記載の充電システムにおいて、
前記電圧源の電源電圧と前記抵抗素子の抵抗値が電池の種類と充電条件に応じて異なっていることを特徴とする充電システム。
【請求項５】
電池を内蔵する電池パックであって、
抵抗素子と容量素子とから構成される識別回路を有し、
前記識別回路は、外部の電圧源から電圧が印加され、
前記電圧源から電圧が印加された前記識別回路からの電圧特性情報を外部に出力することを特徴とする電池パック。  
【請求項６】
請求項５記載の電池パックにおいて、
前記識別回路は、前記抵抗素子と前記容量素子とを直列に接続したＣＲ回路で構成され、
前記容量素子は、前記抵抗素子と接続される端子と反対側の端子が接地電位に接続され、
前記容量素子の電圧を外部に出力することを特徴とする電池パック。
【請求項７】
電池の充電を制御する制御部を内蔵する充電器であって、
抵抗素子と容量素子とから構成され、前記容量素子が電池パックに内蔵される抵抗素子に並列接続される識別回路を有し、
前記識別回路は、前記電池パックに内蔵される電圧源から電圧が印加され、
前記制御部は、前記電圧源から電圧が印加された前記識別回路からの電圧特性情報に基づいて前記電池の種類を識別することを特徴とする充電器。
【請求項８】
請求項７記載の充電器において、
前記識別回路は、前記抵抗素子と前記容量素子とを直列に接続したＣＲ回路で構成され、
前記容量素子は、前記抵抗素子と接続される端子と反対側の端子が接地電位に接続され、
前記制御部は、前記容量素子の電圧と前記ＣＲ回路の時定数とから前記電池の種類を識別することを特徴とする充電器。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
複数のユーザ機器デバイスを動作させる方法であって、
番組ガイドを実装する第１のユーザ機器デバイスによって、ユーザに対する番組ガイド設定を含むプロフィールの作成を可能にすることであって、該第１のユーザ機器デバイスは、番組ガイドを実装する複数のユーザ機器デバイスに結合されている、ことと、
該第１のユーザ機器デバイスにおいて作成された該プロフィールに対応する設定を、該第１のユーザ機器デバイスから第２のユーザ機器デバイスに送信することであって、該第２のユーザ機器デバイスは、該複数のユーザ機器デバイスのうちの１つである、ことと、
該番組ガイド設定を含む該プロフィールが該第２のユーザ機器デバイスの該ガイド上でアクティブになるように、該プロフィールに対応する該送信された設定を該第２のユーザ機器デバイスに適用することと
を含む、方法。
【請求項２】
前記プロフィールの前記番組ガイド設定を、前記複数のユーザ機器デバイスに結合された遠隔位置に格納することをさらに含む、請求項１に記載の方法。
【請求項３】
前記プロフィールの前記番組ガイド設定を、前記第１のユーザ機器デバイスに格納することをさらに含む、請求項１に記載の方法。
【請求項４】
前記プロフィールの前記番組ガイド設定が、前記第２のユーザ機器デバイスを用いて改変されたことを決定することと、
該決定することに応答して、前記第１のユーザ機器デバイスに格納された該プロフィールの該番組ガイド設定を改変することと
をさらに含む、請求項３に記載の方法。
【請求項５】
前記ユーザが前記複数のユーザ機器デバイスのうちの第３のユーザ機器デバイスを用いていることを決定することと、
前記プロフィール情報の前記改変された番組ガイド設定を該複数のユーザ機器デバイスのうちの該第３のユーザ機器デバイスに提供することと
をさらに含む、請求項４に記載の方法。
【請求項６】
前記ユーザを識別することと、
前記複数のユーザ機器デバイスのうちの１つのユーザ機器デバイスを、ユーザ機器デバイスのネットワーク内で位置特定することと
をさらに含む、請求項１に記載の方法。
【請求項７】
識別することは、前記ユーザから固有のユーザ識別情報を受信することをさらに含む、請求項６に記載の方法。
【請求項８】
前記ユーザ識別情報は、固有の数字を含む、請求項７に記載の方法。
【請求項９】
提供することは、
前記ユーザ識別情報に関連するユーザプロフィール情報を識別することと、
前記複数のユーザ機器デバイスのうちの前記位置特定された１つのユーザ機器デバイスに、該識別されたユーザプロフィール情報を提供することと
をさらに含む、請求項７に記載の方法。
【請求項１０】
前記プロフィール情報の前記番組ガイド設定は、お気に入り、親制御情報、リマインダ、録画オプション、ペイパービューオプション、メッセージオプション、セットアップオプションのうちの少なくとも１つを含む、請求項１に記載の方法。
【請求項１１】
前記遠隔位置は、サーバである、請求項２に記載の方法。
【請求項１２】
複数のユーザ機器デバイスを動作させるシステムであって、
番組ガイドを実装する第１のユーザ機器デバイスによって、ユーザに対する番組ガイド設定を含むプロフィールの作成を可能にする手段であって、該第１のユーザ機器デバイスは、番組ガイドを実装する複数のユーザ機器デバイスに結合されている、手段と、
該第１のユーザ機器デバイスにおいて作成されたプロフィールに対応する設定を、該第１のユーザ機器デバイスから第２のユーザ機器デバイスまで送信する手段であって、該第２のユーザ機器デバイスは、該複数のユーザ機器デバイスのうちの１つである、手段と、
該番組ガイド設定を含むプロフィールが該第２のユーザ機器デバイスの該ガイド上でアクティブになるように、該プロフィールに対応する該送信された設定を該第２のユーザ機器デバイスに適用する手段と
を含む、システム。
【請求項１３】
前記プロフィールの前記番組ガイド設定を、前記複数のユーザ機器デバイスに結合された遠隔位置に格納する手段をさらに含む、請求項１２に記載のシステム。
【請求項１４】
前記プロフィールの前記番組ガイド設定を、前記第１のユーザ機器デバイスに格納する手段をさらに含む、請求項１２に記載のシステム。
【請求項１５】
前記プロフィールの前記番組ガイド設定が、前記第２のユーザ機器デバイスを用いて改変されたことを決定する手段と、
該決定することに応答して、前記第１のユーザ機器デバイスに格納された該プロフィールの該番組ガイド設定を改変する手段と
をさらに含む、請求項１４に記載のシステム。
【請求項１６】
前記ユーザが前記複数のユーザ機器デバイスのうちの第３のユーザ機器デバイスを用いていることを決定する手段と、
前記プロフィール情報の前記改変された番組ガイド設定を該複数のユーザ機器デバイスのうちの該第３のユーザ機器デバイスに提供する手段と
をさらに含む、請求項１５に記載のシステム。
【請求項１７】
前記ユーザを識別する手段と、
前記複数のユーザ機器デバイスのうちの１つのユーザ機器デバイスを、ユーザ機器デバイスのネットワーク内に位置特定する手段と
をさらに含む、請求項１２に記載のシステム。
【請求項１８】
識別する手段は、前記ユーザから固有のユーザ識別情報を受信する手段をさらに含む、請求項１７に記載のシステム。
【請求項１９】
前記ユーザ識別情報は、固有の数字を含む、請求項１８に記載のシステム。
【請求項２０】
提供することは、
前記ユーザ識別情報に関連するユーザプロフィール情報を識別することと、
前記複数のユーザ機器デバイスのうちの前記位置特定された１つのユーザ機器デバイスに、該識別されたユーザプロフィール情報を提供することと
をさらに含む、請求項１８に記載のシステム。
【請求項２１】
前記プロフィール情報の前記番組ガイド設定は、お気に入り、親制御情報、リマインダ、録画オプション、ペイパービューオプション、メッセージオプション、セットアップオプションのうちの少なくとも１つを含む、請求項１２に記載のシステム。
【請求項２２】
前記遠隔位置は、サーバである、請求項１３に記載のシステム。
【手続補正書】
【提出日】平成25年3月13日(2013.3.13)
【手続補正１】
【補正対象書類名】明細書
【補正対象項目名】００２２
【補正方法】変更
【補正の内容】
【００２２】
酵素剤は、セルラーゼ活性を実質的に有さないもの、例えば、セルラーゼ活性が1000u/ml以下であってもよい。セルラーゼ活性（「繊維消化力」と称されることもある。）は、前記第三版既存添加物自主規格の（7）セルラーゼ活性測定法第2法（セルロース糖化力測定法−銅試薬法）に従って測定することができる。本法は、酵素をカルボキシルメチルセルロースに作用させる酵素反応と反応生成物である還元糖を定量する2段階からなり、還元糖の定量法として銅試薬を用いるものである。本発明の酵素処理工程に用いることのできる酵素剤として、例えば、ペクチナーゼG「アマノ」（天野エンザイム）、ペクチナーゼPL「アマノ」（天野エンザイム）を好適に用いることができる。
【手続補正２】
【補正対象書類名】明細書
【補正対象項目名】００２６
【補正方法】変更
【補正の内容】
【００２６】
以上のようにして得られたマンゴー果汁の酵素処理物は、加熱して酵素剤に由来する酵素活性を失活させる。具体的には、失活は、酵素処理物を90℃以上、例えば100℃に、15秒〜数分、例えば30秒間保つことによる。
【手続補正３】
【補正対象書類名】明細書
【補正対象項目名】００２７
【補正方法】変更
【補正の内容】
【００２７】
脱パルプ処理工程：
本発明においては、酵素処理されたマンゴー果汁を、さらに脱パルプ処理する。
マンゴー果汁の脱パルプ処理方法は、特に限定されず、遠心分離法、濾過法および膜分離法などを用いることができるが、工業的に簡便な方法として、遠心分離法を好適に用いることができる。遠心分離機の機種は、遠心沈降機（分離板型、デカンター型、チューブ型等）や遠心濾過機（バスケット型等）などを用いることができる。
【手続補正書】
【提出日】平成25年9月10日(2013.9.10)
【手続補正１】
【補正対象書類名】特許請求の範囲
【補正対象項目名】全文
【補正方法】変更
【補正の内容】
【特許請求の範囲】
【請求項１】
少なくとも耐火物製の第１部材および金属製の第２部材を具備すると共に、前記第１部材と前記第２部材との境界領域に配置された耐熱シール剤とを具備する高温領域で使用される高温組付体であって、
前記第１部材は、前記第２部材との境界領域に凹状プール部を具備し、
前記耐熱シール剤は、前記凹状プール部を充填して形成された耐熱セラミックスシール部を具備し、
前記耐熱シール剤は、合成されると体積膨張するセラミックスを形成する第１セラミックス粒子および第２セラミックス粒子を有効成分として含有することを特徴とする高温組付体。
【請求項２】
請求項１において、前記合成されると体積膨張するセラミックスはムライトであり、前記第１セラミックス粒子はシリカで形成され、前記第２セラミックス粒子はアルミナで形成されていることを特徴とする高温組付体。
【請求項３】
請求項１において、前記合成されると体積膨張するセラミックスはスピネルであり、前記第１セラミックス粒子はマグネシアで形成され、前記第２セラミックス粒子はアルミナで形成されていることを特徴とする高温組付体。
【請求項４】
耐熱シール剤と、耐火物製の第１部材と、金属製の第２部材とを用意する第１工程と、
少なくとも前記第１部材と前記第２部材とを組み付けて組付体を形成する第２工程と、
前記組付体の前記第１部材と前記第２部材との境界領域をシールする第３工程とを含む高温組付体の製造方法であって、
前記耐熱シール剤は、合成されると体積膨張するセラミックスを形成する第１セラミックス粒子および第２セラミックス粒子を有効成分として含有するものであり、
前記第１部材は、凹状プール部を有し、
前記第２工程は、前記第１部材と前記第２部材との境界領域ならびに前記凹状プール部に前記耐熱シール剤を介在させるように組付体を形成する工程であり、
前記第３工程は、前記境界領域ならびに前記凹状プール部に前記耐熱シール剤を介在させた状態で、前記組付体の使用時における前記組付体の使用温度、前記組付体の使用前における前記組付体の加熱温度、前記組付体の搬入前における前記組付体の加熱温度のうちの少なくとも一つで、前記耐熱シール剤を加熱して焼成させ、前記第１セラミックス粒子および前記第２セラミックス粒子を合成させて体積膨張するセラミックスを形成してシールする工程であることを特徴とする高温組付体の製造方法。
【請求項５】
請求項４において、前記合成されると体積膨張するセラミックスはムライトであり、前記第１セラミックス粒子はシリカで形成され、前記第２セラミックス粒子はアルミナで形成されていることを特徴とする高温組付体の製造方法。
【請求項６】
請求項４において、前記合成されると体積膨張するセラミックスはスピネルであり、前記第１セラミックス粒子はマグネシアで形成され、前記第２セラミックス粒子はアルミナで形成されていることを特徴とする高温組付体の製造方法。
【請求項７】
請求項４〜６のうちの一項において、前記第１工程に係る前記耐熱シール剤におけるセラミックスを１００％とするとき、質量比で、アンダルサイトおよびカイアナイトのうちの一方または双方が０．０１〜４０％含有されていることを特徴とする高温組付体の製造方法。
【手続補正２】
【補正対象書類名】明細書
【補正対象項目名】０００５
【補正方法】変更
【補正の内容】
【０００５】
本発明に係る高温組付体は、金属または耐火物で形成された第１部材と、第１部材に対向する金属または耐火物で形成された第２部材と、第１部材と第２部材との境界領域に配置されるように第１部材および第２部材のうちの少なくとも一方に形成された凹状プール部と、凹状プール部に装填され使用時の熱により合成された体積膨張する耐熱シール剤を焼成して形成された耐熱セラミックスシール部とを具備し、前記耐熱シール剤は、合成されると体積膨張するセラミックスを形成する第１セラミックス粒子および第２セラミックス粒子を有効成分として含有することを特徴とする。
【手続補正３】
【補正対象書類名】明細書
【補正対象項目名】０００６
【補正方法】変更
【補正の内容】
【０００６】
本発明に係る高温組付体の製造方法は、（１）合成されると体積膨張する複数種類のセラミックス粒子を含有する耐熱シール剤と、耐火物製の第１部材と、金属製の第２部材とを用意する第１工程と、（２）第１部材と前記第２部材との境界領域に形成された凹状プール部に前記耐熱シール剤を装填させた状態で、少なくとも第１部材と第２部材とを組み付けて組付体を形成する第２工程と、（３）組付体の第１部材と第２部材との境界領域に形成された凹状プール部に耐熱シール剤を装填させた状態で、組付体の使用時における組付体の使用温度、組付体の使用前における組付体の予熱温度、組付体の搬入前における組付体の加熱温度のうちのいずれか少なくとも一つで耐熱シール剤を加熱して焼成させ、複数種類のセラミックス粒子を合成させて体積膨張する合成セラミックスを形成して組付体の第１部材と第２部材との境界領域をシールする第３工程とを含むことを特徴とする。